(57)【要約】【課題】  高圧縮で動画を記録しつつも記録後パソコンなどで編集しやすくするデータを自動的に生成する電子カメラを提供する。【解決手段】  動画像の撮像開始から所定時間は動画像の高圧縮データ及び低圧縮データが記録され、所定時間経過後は高圧縮データのみ記録され、一連の動画像の撮像が終了すると当該終了前所定時間も動画像の高圧縮データ及び低圧縮データが記録される。編集時、低圧縮データを利用することにより高品位の画質の動画データが出来上がる。【選択図】  図４
2005117115.tif 000002
【特許請求の範囲】
【請求項１】
撮像手段を用いて動画像データを得る電子カメラであって、
前記撮像手段によって動画像の撮像を開始すると動画像の高圧縮データを記録し始めると共に所定時間動画像の低圧縮データも記録し、一連の動画像の撮像が終了すると当該終了前所定時間も動画像の低圧縮データを記録する記録手段を有する電子カメラ。
【請求項２】
撮像手段を用いて撮像した動画像データを記憶手段に記憶した後、記録手段に記録する電子カメラであって、
前記撮像手段によって動画像の撮像を開始すると動画像の高圧縮データを前記記録手段に記録し始めると共に常時所定時間分の動画像の低圧縮データを前記記憶手段に記憶し、動画像の低圧縮データを前記記憶手段に記憶することを利用して撮像開始から所定時間の動画像の低圧縮データを前記記録手段に記録すると共に一連の動画像の撮像が終了すると当該終了前所定時間も動画像の低圧縮データを記録することを特徴とする電子カメラ。
【請求項３】
複数の一連の動画像を編集する画像編集装置であって、
記録済みの一連の動画像の高圧縮データ及び前記一連の動画像の開始から所定時間及び終了前所定時間を記録した低圧縮データのセットが複数存在する場合に、
前記一連の動画像の開始からの前記所定時間は前記低圧縮データを選定する第１選定手段と、
前記開始からの所定時間経過後は前記低圧縮データに引き続き前記所定時間経過後の前記一連の動画像の高圧縮データを選定する第２選定手段と、
前記終了前所定時間は前記高圧縮データに引き続き前記終了前所定時間を記録した低圧縮データを選定する第３選定手段と、
次の一連の動画像の開始から所定時間は高圧縮データを選定する代わりに当該開始からの所定時間を記録した低圧縮データを選定する第４選定手段と、
からなる画像編集装置。
【請求項４】
複数の一連の動画像を編集する画像編集方法であって、
記録済みの一連の動画像の高圧縮データ及び前記一連の動画像の開始から所定時間及び終了前所定時間を記録した低圧縮データのセットが複数存在する場合に、
前記一連の動画像の開始からの前記所定時間は前記低圧縮データを選定し、
前記開始からの所定時間経過後は前記低圧縮データに引き続き前記所定時間経過後の前記一連の動画像の高圧縮データを選定し、
前記終了前所定時間は前記高圧縮データに引き続き前記終了前所定時間を記録した低圧縮データを選定し、
次の一連の動画像の開始から所定時間は高圧縮データを選定する代わりに当該開始からの所定時間を記録した低圧縮データを選定する画像編集方法。
【発明の詳細な説明】
【技術分野】
【０００１】
本発明は、電子カメラ並びに画像編集装置及び方法に係り、特に、動画像を撮像することができるデジタルカメラやビデオカメラなどの電子カメラ、並びに電子カメラなどで生成された画像データを編集する画像編集装置及び方法に関する。
【背景技術】
【０００２】
デジタルカメラやビデオカメラで動画を撮影して記録媒体に記録する場合、記録媒体にできるだけ多くの画像を記録することを考えると高圧縮のＭＰＥＧが好ましく、近年ではＭＰＥＧ２などの高圧縮フォーマットを採用した機種が市場に出回り始めている。
【０００３】
しかし、ＭＰＥＧ２で記録した画像をパソコンなどに取り込んで編集する場合、一連の動画像同士を接続させる際のイン点とアウト点でワイプなどの処理を行なったりタイトルをかぶせたりすると画質が非常に劣化する傾向があるという問題がある。これはＭＰＥＧ２が高圧縮なため、動画像データの一部を編集処理するときには解凍して再レンダリングする工程を経なければならないので生じてしまうことによる。
【０００４】
２種類以上の動画圧縮方式の中から用途に応じて動画圧縮方式を切り替えスイッチにより選択して記録再生するビデオカメラが開示されている（下記特許文献１参照）が、高圧縮で動画を記録しつつも記録後パソコンなどで編集しやすくするデータを自動的に生成する技術は開示されていない。
【特許文献１】特開平１０−１７４０３２号公報
【発明の開示】
【発明が解決しようとする課題】
【０００５】
本発明は、上記の事実を考慮し、高圧縮で動画を記録しつつも記録後パソコンなどで編集しやすくするデータを自動的に生成する電子カメラ、並びに当該生成された動画データを編集する画像編集装置及び方法を提供することを目的とする。
【課題を解決するための手段】
【０００６】
本発明は、撮像手段を用いて動画像データを得る電子カメラであって、
前記撮像手段によって動画像の撮像を開始すると動画像の高圧縮データを記録し始めると共に所定時間動画像の低圧縮データも記録し、一連の動画像の撮像が終了すると当該終了前所定時間も動画像の低圧縮データを記録する記録手段を有する電子カメラ、からなる。
【０００７】
本発明によれば、動画像の撮像開始から所定時間は動画像の高圧縮データ及び低圧縮データが記録され、所定時間経過後は高圧縮データのみ記録され、一連の動画像の撮像が終了すると当該終了前所定時間も動画像の高圧縮データ及び低圧縮データが記録される。
【０００８】
撮像を開始してから常時所定時間分の動画像の低圧縮データを記憶手段に記憶させておくことにより、一連の動画像の撮像が終了するときに当該終了前所定時間も動画像の低圧縮データが記録できる。
【０００９】
さらに、本発明は、複数の一連の動画像を編集する画像編集装置であって、
記録済みの一連の動画像の高圧縮データ及び前記一連の動画像の開始から所定時間及び終了前所定時間を記録した低圧縮データのセットが複数存在する場合に、
前記一連の動画像の開始からの前記所定時間は前記低圧縮データを選定する第１選定手段と、
前記開始からの所定時間経過後は前記低圧縮データに引き続き前記所定時間経過後の前記一連の動画像の高圧縮データを選定する第２選定手段と、
前記終了前所定時間は前記高圧縮データに引き続き前記終了前所定時間を記録した低圧縮データを選定する第３選定手段と、
次の一連の動画像の開始から所定時間は高圧縮データを選定する代わりに当該開始からの所定時間を記録した低圧縮データを選定する第４選定手段と、
からなる画像編集装置、からなる。
【００１０】
上記本発明によれば、複数の一連の動画像編集の際に、一連の動画像の始まりと終わりの部分に低圧縮データを選定する。
【発明の効果】
【００１１】
本発明によれば、記録済みの複数の一連の動画像を編集するときに一連の動画像同士をつなげる場合に一連の動画像の始まりと終わりの部分を低圧縮データでも記録するので、一連の動画像と一連の動画像とのつなぎの部分を低圧縮データを用いて接続処理することができ、前記つなぎの部分でも画質の劣化を最小限にすることができる。
【発明を実施するための最良の形態】
【００１２】
以下、添付図面に従って本発明の実施の形態を詳説する。
【００１３】
まず、図１を参照して、本実施の形態に係るデジタルカメラ１０の外観上の構成を説明する。
【００１４】
同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際にユーザによって押圧操作されるレリーズボタン（所謂シャッター）６０と、電源スイッチ６６と、が備えられている。
【００１５】
なお、本実施の形態に係るレリーズボタン６０は、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００１６】
また、本実施の形態に係るデジタルカメラ１０は、静止画像の撮影の他、動画像の撮影も行うことができるように構成されており、静止画像の撮影を行う際には、レリーズボタン６０を半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き全押し状態にすると露光（撮影）が行われる。
【００１７】
これに対し、動画像の撮影を行う際には、レリーズボタン６０を全押し状態とすることによって動画像の撮影が開始され、レリーズボタン６０の押下状態を一旦未押下状態まで戻した後、再度全押し状態とすることによって当該動画像の撮影が停止されるように構成されている。このように、本実施の形態に係るデジタルカメラ１０では、動画像の撮影を開始するときにレリーズボタン６０を全押し状態とし、当該撮影を停止するときに再度レリーズボタン６０を全押し状態とするものであるが、これに限らず、レリーズボタン６０を全押し状態としている期間中に動画像の撮影を行う形態とすることもできる。
【００１８】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するために操作されるモード切替スイッチ６２と、ＬＣＤ３０の表示領域における上下左右の４方向の移動方向を示す４つの矢印キー及び当該４つの矢印キーの中央部に位置された決定キーの合計５つのキーを含んで構成された十字カーソルボタン６４と、表示切替スイッチ６８と、が備えられている。
【００１９】
一方、デジタルカメラ１０の底面には、外部装置と所定のインタフェース規格（本実施の形態では、ＵＳＢ（Ｕｎｉｖｅｒｓａｌ  Ｓｅｒｉａｌ  Ｂｕｓ））により電気的に接続するために用いられるレセプタクル７２が設けられている。
【００２０】
次に、図２を参照して、本実施の形態に係るデジタルカメラ１０の構成を説明する。
【００２１】
図２に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００２２】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００２３】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、ＭＰＥＧ圧縮形式でデジタル画像データに対して圧縮処理を施す一方、圧縮処理されたデジタル画像データに対して伸張処理を施すＭＰＥＧ圧縮・伸張処理回路２３と、ＪＰＥＧ又はＭｏｔｉｏｎＪＰＥＧ圧縮形式でデジタル画像データに対して圧縮処理を施す一方、圧縮処理されたデジタル画像データに対して伸張処理を施す（Ｍｏｔｉｏｎ）ＪＰＥＧ圧縮・伸張処理回路２４と、デジタル画像データにより示される画像やメニュー画面等をＬＣＤ３０に表示させるための信号を生成してＬＣＤ３０に供給する一方、ＬＣＤ３０に表示させる画像を示す映像信号（本実施の形態では、ＮＴＳＣ信号）を生成してビデオ出力端子ＯＵＴに出力するビデオ／ＬＣＤエンコーダ２８と、を含んで構成されている。なお、画像入力コントローラ２０の入力端子はＡＤＣ１８の出力端子に接続されている。
【００２４】
また、デジタルカメラ１０は、デジタルカメラ１０全体の動作を司るＣＰＵ（中央処理装置）３２と、ＡＦ機能を働かせるために必要とされる物理量（本実施の形態では、ＣＣＤ１４による撮像によって得られた画像のコントラスト値）を検出するＡＦ検出回路３４と、ＡＥ機能及びＡＷＢ（Ａｕｔｏｍａｔｉｃ  Ｗｈｉｔｅ  Ｂａｌａｎｃｅ）機能を働かせるために必要とされる物理量（本実施の形態では、ＣＣＤ１４による撮像によって得られた画像の明るさを示す量）を検出するＡＥ・ＡＷＢ検出回路３６と、ＣＰＵ３２による各種処理の実行時のワークエリア等として用いられるＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）により構成された第１メモリ３８と、主として撮影により得られたデジタル画像データを記憶するＶＲＡＭ（ＶｉｄｅｏＲＡＭ）により構成された第２メモリ４０と、撮影により得られたデジタル動画像データをＭｏｔｉｏｎＪＰＥＧ形式に圧縮して一時的に記憶するＡＶＩファイル専用のリングバッファからなる第３メモリ３９と、を含んで構成されている。
【００２５】
更に、デジタルカメラ１０は、スマートメディア（Ｓｍａｒｔ  Ｍｅｄｉａ（登録商標））により構成された記録メディア４２Ａ及びマイクロドライブにおける記録メディア４２Ｂをデジタルカメラ１０でアクセス可能とするためのメディアコントローラ４２と、前述のレセプタクル７２に接続されると共にＵＳＢ規格による外部との間の通信を司るＵＳＢインタフェース４６と、を含んで構成されている。
【００２６】
以上の画像入力コントローラ２０、画像信号処理回路２２、ＭＰＥＧ圧縮・伸張処理回路２３、（Ｍｏｔｉｏｎ）ＪＰＥＧ圧縮・伸張処理回路２４、ビデオ／ＬＣＤエンコーダ２８、ＣＰＵ３２、ＡＦ検出回路３４、ＡＥ・ＡＷＢ検出回路３６、第１メモリ３８、第２メモリ４０、第３メモリ３９、メディアコントローラ４２、及びＵＳＢインタフェース４６は、各々、バスＢＵＳを介して相互に接続されている。
【００２７】
従って、ＣＰＵ３２は、画像入力コントローラ２０、画像信号処理回路２２、ＭＰＥＧ圧縮・伸張処理回路２３、（Ｍｏｔｉｏｎ）ＪＰＥＧ圧縮・伸張処理回路２４、及びビデオ／ＬＣＤエンコーダ２８の各々の作動の制御と、ＡＦ検出回路３４及びＡＥ・ＡＷＢ検出回路３６により検出された物理量の取得と、第１メモリ３８、第２メモリ４０、第３メモリ３９、記録メディア４２Ａ、及び記録メディア４２Ｂへのアクセスと、レセプタクル７２に接続された外部装置との相互通信と、を各々行うことができる。
【００２８】
なお、本実施の形態では、外部装置としてパーソナル・コンピュータ（以下、「ＰＣ」という）９０を適用する場合について説明する。
【００２９】
また、本実施の形態では、撮影によって得られた静止画のデジタル画像データは、ＪＰＥＧ圧縮された画像ファイルとして記録メディア４２Ａ、記録メディア４２Ａの残記録容量がなくなったら記録メディア４２Ｂに撮影順に記録される。
【００３０】
また、本実施の形態では、撮影によって得られた動画のデジタル画像データは、ＭＰＥＧ圧縮された画像ファイルとして記録メディア４２Ａ、記録メディア４２Ａの残記録容量がなくなったら記録メディア４２Ｂに撮影順に記録される。
【００３１】
また、撮影によって得られた一連の動画像の始まりと終わりの部分の動画のデジタル画像データは、上記ＭＰＥＧ圧縮した画像ファイルとは別にＭｏｔｉｏｎＪＰＥＧ圧縮した画像ファイルとして記録メディア４２Ａ、記録メディア４２Ａの残記録容量がなくなったら記録メディア４２Ｂに撮影順に記録される。
【００３２】
一方、デジタルカメラ１０には、主としてＣＣＤ１４を駆動させるためのタイミング信号を生成してＣＣＤ１４に供給するタイミングジェネレータ４８が設けられており、当該タイミングジェネレータ４８の入力端子はＣＰＵ３２に、出力端子はＣＣＤ１４に、各々接続されており、ＣＣＤ１４の駆動は、ＣＰＵ３２によりタイミングジェネレータ４８を介して制御される。
【００３３】
更に、ＣＰＵ３２はモータ駆動部５０の入力端子に接続され、モータ駆動部５０の出力端子は光学ユニット１３に備えられた焦点調整モータ、ズームモータ及び絞り駆動モータに接続されている。
【００３４】
本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００３５】
ＣＰＵ３２は、光学ズーム倍率を変更する際にはズームモータを駆動制御して光学ユニット１３に含まれるレンズの焦点距離を変化させる。
【００３６】
また、ＣＰＵ３２は、ＣＣＤ１４による撮像によって得られた画像のコントラスト値が最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００３７】
更に、前述のレリーズボタン６０、モード切替スイッチ６２、十字カーソルボタン６４、電源スイッチ６６、及び表示切替スイッチ６８の各種ボタン類及びスイッチ類はＣＰＵ３２に接続されており、ＣＰＵ３２は、これらのボタン類及びスイッチ類に対する操作状態を常時把握できる。
【００３８】
本実施の形態に係るデジタルカメラ１０の作用を説明する。
【００３９】
まず、撮影時におけるデジタルカメラ１０の作用を簡単に説明する。
【００４０】
光学ユニット１３を介した撮像によってＣＣＤ１４から出力された被写体像を示す信号（静止画及び動画）は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００４１】
画像入力コントローラ２０は内蔵しているラインバッファにＡＤＣ１８から順次入力されるデジタル画像データを蓄積して一旦第２メモリ４０の所定領域に格納する。
【００４２】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という）を生成し、ＹＣ信号を第２メモリ４０の上記所定領域とは異なる領域に格納する。
【００４３】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、ビデオ／ＬＣＤエンコーダ２８を介して順次ＬＣＤ３０に出力する。これによってＬＣＤ３０にスルー画像が表示されることになる。
【００４４】
ここで、ユーザにより静止画像の撮影が設定されているときには、レリーズボタン６０がユーザによって全押し状態とされたときに、この時点で第２メモリ４０に格納されているＹＣ信号を、（Ｍｏｔｉｏｎ）ＪＰＥＧ圧縮・伸張処理回路２４によってＪＰＥＧ形式で圧縮した後にメディアコントローラ４２を介して記録メディア４２Ａに記録する。
【００４５】
また、ユーザにより動画像の撮影が設定されているときには、レリーズボタン６０が全押し状態とされた時点から次にレリーズボタン６０が全押し状態とされる時点までの期間、すなわち動画像の撮影を行っている期間において、所定期間（本実施の形態では、１／３０秒（０．０３３・・・秒））毎に、第２メモリ４０に格納されているＹＣ信号を、ＭＰＥＧ圧縮・伸張処理回路２３によってＭＰＥＧ形式で圧縮した後にメディアコントローラ４２を介して記録メディア４２Ａに記録する。従って、本実施の形態に係るデジタルカメラ１０で動画像の撮影を行うときには、３０フレーム／秒の動画像を記録メディア４２Ａに記録することができる。すなわち、動画像の撮影を行うときには、レリーズボタン６０が全押し状態とされた時点から次にレリーズボタン６０が全押し状態とされる時点までの期間、すなわち動画像の撮影を行っている期間はずっと高圧縮フォーマットであるＭＰＥＧ形式で圧縮したデータは記録メディア４２Ａに記録される。
【００４６】
また、本実施の形態では動画像撮影する際に、レリーズボタン６０が全押し状態とされた時点から５秒間、低圧縮フォーマットであるＭｏｔｉｏｎＪＰＥＧ形式のフォーマットで圧縮したデータもメディアコントローラ４２を介して記録メディア４２Ａに記録される。このとき、レリーズボタン６０が全押し状態とされた時点から常時一定時間分のＭｏｔｉｏｎＪＰＥＧ形式で圧縮したＡＶＩファイルのデータがリングバッファからなる第３メモリ３９に記憶される。これによって動画像撮影中に次にレリーズボタン６０が全押し状態とされるとその全押しされる直前５秒間のＡＶＩフォーマットのデータも記録メディア４２Ａに記録することが可能となり、そのように直前５秒間のデータを記録する。
【００４７】
すなわち、図４に示されるように、レリーズボタン６０が全押しされて動画像撮影が開始されて次にレリーズボタン６０が全押しされるまでの動画カット１では、ＭＰＥＧデータが記録メディア４２Ａに記録されると共に動画像撮影開始後５秒間及び動画像撮影終了前５秒間はＭｏｔｉｏｎＪＰＥＧのＡＶＩデータが記録メディア４２Ａに記録される。次にレリーズボタン６０が全押しされて動画像撮影が開始されてその後レリーズボタン６０が全押しされるまでの動画カット２でも同様の形態・時間で動画データがＭＰＥＧ形式とＭｏｔｉｏｎＪＰＥＧ形式とで記録メディア４２Ａに記録される。
【００４８】
図５に示すように、ＭＰＥＧ形式で圧縮された動画像データは、一連の動画像データである動画カットの中に複数のＧＯＰ（Ｇｒｏｕｐ  Ｏｆ  Ｐｉｃｔｕｒｅ）を含んでおり、例えば、「ＤＳＣＦ００１．ＭＰＧ」のようなファイル名をつける。ＭｏｔｉｏｎＪＰＥＧ形式で圧縮したデータを格納するＡＶＩファイルは、ＡＶＩファイルのヘッダ情報の中に動画データ編集の際そのＡＶＩファイルがどのＧＯＰの後に配置されるべきかを示すＧＯＰアドレス情報が入っている。ＡＶＩファイルは、動画像撮影開始後５秒間のものは、例えば、「ＩＮ０００１．ＡＶＩ」のファイル名がつけられ、動画像撮影終了前５秒間のものは、例えば、「ＯＵＴ０００１．ＡＶＩ」のファイル名がつけられる。次の動画カットのＭＰＥＧファイルは、例えば、「ＤＳＣＦ００２．ＭＰＧ」のようなファイル名をつければよい。
【００４９】
なお、ＭｏｔｉｏｎＪＰＥＧのＡＶＩファイルが作成される時間は、上記開始後５秒間及び終了前５秒間に限らず、５秒間の代わりに任意の時間、例えば３秒間とか７秒間とかでもよい。
【００５０】
上述したような形態で記録した動画像データの複数の動画カットをつなぐ編集をする場合を説明する。本実施の形態では、編集はパソコン９０で行う。
【００５１】
図３は、パソコン９０のハード構成を示したブロック図である。図３に示すように、パソコン９０は、主として各構成要素の動作を制御する中央処理装置（ＣＰＵ）２１０と、装置の制御プログラムが格納されたり、プログラム実行時の作業領域となる主メモリ２１２と、パソコン９０のオペレーティングシステム（ＯＳ）、パソコン９０に接続された周辺機器のデバイスドライバを含む各種のアプリケーションソフト、ユーザの画像等が格納されるハードディスク装置２１４と、ＣＤ−ＲＯＭドライブ２１６と、表示用データを一時記憶する表示メモリ２１８と、この表示メモリ２１８からの画像データ、文字データ等により画像や文字等を表示するＣＲＴモニタや液晶モニタ等のモニタ装置２２０と、キーボード２２２と、位置入力装置としてのマウス２２４と、マウス２２４の状態を検出してモニタ装置２２０上のマウスポインタの位置やマウス２２４の状態等の信号をＣＰＵ２１０に出力するマウスコントローラ２２６と、デジタルカメラ１０と接続して画像データ等の入力が可能なＵＳＢ（Universal Serial Bus）ケーブル２０６と接続するインターフェース２２７と、インターネット網と接続する通信インターフェース２０８と、上記各構成要素を接続するバス２２８とから構成されている。
【００５２】
なお、上記構成のパソコン９０は、各構成要素が周知のものであるため、各構成要素の詳細な説明については省略する。
【００５３】
複数の動画カット、例えば、一連の動画データである動画カット１と一連の動画データである動画カット２とをつなぐ編集をする場合を図４〜図６を用いて説明する。
【００５４】
まず、デジタルカメラ１０のＵＳＢインタフェース４６、レセプタクル７２、パソコン９０のＵＳＢケーブル２０６、インターフェース２２７を介して記録メディア４２Ａに記録されている動画カット１のＭＰＥＧデータ及びＡＶＩデータ、及び動画カット２のＭＰＥＧデータ及びＡＶＩデータをパソコン９０のハードディスク装置２１４に格納する。
【００５５】
動画カット１と動画カット２とを一連の動画カット３とするとき、まず動画カット１のＭｏｔｉｏｎＪＰＥＧからなるＡＶＩファイルを動画カット３の先頭に位置づける。
【００５６】
この先頭のＡＶＩファイルはＭｏｔｉｏｎＪＰＥＧからなるので、編集しやすく編集しても画質の低下が少ない。このＡＶＩファイルに動画カット３のタイトル等を挿入することもできる。先頭のＡＶＩファイルの次にはそのＡＶＩファイルに対応する動画像データ分のＧＯＰを除いたＭＰＥＧデータ（図５の「ＤＳＣＦ０００１．ＭＰＧ」）がくる。
【００５７】
動画カット１の終了前５秒間の動画データは、ＡＶＩファイル（図５の「ＯＵＴ０００１．ＡＶＩ」）を動画カット３に位置づけたＭＰＥＧデータ「ＤＳＣＦ０００１．ＭＰＧ」ファイルの次に位置づける。ただし、ＤＳＣＦ０００１．ＭＰＧ」ファイルの最後の５秒間のＧＯＰはＡＶＩファイルと重複した動画像になっているので、「ＯＵＴ０００１．ＡＶＩ」ファイルは、「ＯＵＴ０００１．ＡＶＩ」のヘッダに書き込まれているそのＡＶＩファイルがどのＧＯＰの後に配置されるべきかを示すＧＯＰアドレス情報から、続くべきＧＯＰの後ろに位置づけられる。すなわち、「ＤＳＣＦ０００１．ＭＰＧ」の最後の５秒間の動画データＧＯＰの直前部分のアドレスが書き込まれている。「ＤＳＣＦ０００１．ＭＰＧ」の最後の５秒間の動画データＧＯＰは動画カット３には用いられない。
【００５８】
動画カット３では、「ＯＵＴ０００１．ＡＶＩ」ファイルの次に「ＩＮ０００２．ＡＶＩ」ファイルを位置づける。「ＩＮ０００２．ＡＶＩ」ファイルには、動画カット２のＭＰＥＧデータ「ＤＳＣＦ０００２．ＭＰＧ」ファイルの最初の５秒間の動画データと同じ動画データが格納されている。「ＩＮ０００２．ＡＶＩ」ファイルは、「ＩＮ０００２．ＡＶＩ」のヘッダに書き込まれているそのＡＶＩファイルがどのＧＯＰの後に配置されるべきかを示すＧＯＰアドレス情報から、続くべきＧＯＰの後ろに位置づけられる。すなわち、「ＤＳＣＦ０００２．ＭＰＧ」の最初の５秒間の動画データＧＯＰの終了部分のアドレスが書き込まれている。「ＤＳＣＦ０００２．ＭＰＧ」の最初の５秒間の動画データＧＯＰは動画カット３には用いられない。
【００５９】
動画カット３に位置づけた「ＩＮ０００２．ＡＶＩ」ファイルの次には、最初の５秒間を除いた「ＤＳＣＦ０００２．ＭＰＧ」ファイルが位置づけられる。動画カット３では、動画カット２の最後の５秒間も動画カット１の場合と同様に動画カット２の最後の５秒間のＡＶＩファイルを位置づける。動画カット３の最後に位置づけたＡＶＩファイルには、エンディングタイトル等が挿入できる。
【００６０】
動画カット３に位置づけたＡＶＩファイル「ＯＵＴ０００１．ＡＶＩ」と「ＩＮ０００２．ＡＶＩ」ファイルとは、動画カット内容を考慮して、動画内容を違和感なく連続的に表現させるため、ワイプやフェード等のエフェクト部を形成させることができる。これは、両ＡＶＩファイルがＭｏｔｉｏｎＪＰＥＧからなるのでフレーム単位で管理できるため、編集しやすく編集しても画質の低下が少ない利点によって可能になるのである。
【００６１】
また、図６のように、「ＯＵＴ０００１．ＡＶＩ」ファイルと「ＩＮ０００２．ＡＶＩ」ファイルとは、動画内容が時間的にずれていてももちろん動画カット３で接続可能である。
【００６２】
本形態によって、編集後の動画カット３の冒頭部へのタイトル挿入、一連の動画像データ同士をつなぐ部分へのエフェクト部の形成、エンド部へのタイトル挿入が、高品位の画質をのまま容易に自動的になされるので、出来上がった映像が非常に楽しくかつ鑑賞に値するものにできる。
【００６３】
本発明を適用すれば、記録メディアが小容量なＭＰＥＧ圧縮適用の動画カメラでも、撮影映像を高品位に編集できる。
【図面の簡単な説明】
【００６４】
【図１】デジタルカメラの外観を示した図。
【図２】デジタルカメラの構成を示したブロック図。
【図３】パソコンのハード構成を示したブロック図。
【図４】動画カット同士を接続させる際の全体概念図。
【図５】動画カット同士を接続させる際のＭＰＥＧ形式動画データのファイル構成とＭｏｔｉｏｎＪＰＥＧ形式動画データのファイル構成とを示した図。
【図６】動画カット同士を接続させる際のＭＰＥＧ形式動画データのファイル構成とＭｏｔｉｏｎＪＰＥＧ形式動画データのファイル構成とを示した図で、接続させる動画データ同士が時間的にずれている例を示した図。
【符号の説明】
【００６５】
１０…デジタルカメラ、２３…ＭＰＥＧ圧縮・伸張処理回路、２４…（Ｍｏｔｉｏｎ）ＪＰＥＧ圧縮・伸張処理回路、３２…ＣＰＵ、３９…第３メモリ、４２…メディアコントローラ、４２Ａ…記録メディア、４２Ｂ…記録メディア、６０…レリーズボタン、９０…パーソナル・コンピュータ
【図１】
2005117115.tif 000003
【図２】
2005117115.tif 000004
【図３】
2005117115.tif 000005
【図４】
2005117115.tif 000006
【図５】
2005117115.tif 000007
【図６】
2005117115.tif 000008